(57)【要約】  本発明は通信情報伝送方法及びシステムを開示され、通信技術領域に関わる。前記方法は：選定された通信情報受信端の指紋情報を取得し、前記通信情報受信端の情指紋報より前記通信情報受信端に対し身分認証を行う；前記通信情報受信端の身分認証が成功した後、ユーザーが入力した通信情報を取得する；その中に、前記通信情報は電子メール又はショート・メッセージSMSである；前期通信情報を指FingerQ情報交換プラットホームに送信し、前記FingerQ情報交換プラットホームが前記通信情報を暗号化させ、暗号化された通信情報を前記通信情報受信端に送信することを含む。前記システムは：通信情報送信端及び指FingerQ情報交換プラットホームを含む。前記システムは：通信情報送信端及び指FingerQ情報交換プラットホームを含む。本発明は通信情報は如何なる第三者に取得しがたい、且つ取得された情報は暗号化されたので、安全性を向上させる。
2015535154.tif 000002
【特許請求の範囲】
【請求項１】
通信情報伝送方法であって、
前記方法は：
通信情報送信端は選定された通信情報受信端の指紋情報を取得し、前記通信情報受信端の指紋情報より前記通信情報受信端に対し身分認証を行う；
前記通信情報受信端に対する身分認証が成功した後、前記通信情報送信端はユーザーが入力した通信情報を取得する；その中に、前記通信情報は電子メール又はショート・メッセージSMSである；
前記通信情報送信端は前記通信情報を指FingerQ情報交換プラットホームに送信し、前記FingerQ情報交換プラットホームが前記通信情報を暗号化させ、暗号化された通信情報を前記通信情報受信端に送信する
ことを含むことを特徴とする通信情報伝送方法。
【請求項２】
前記通信情報送信端が選定された通信情報受信端の指紋情報を取得するステップは、
前記通信情報送信端が対応する通信情報受信端を選択し、前記通信情報送信端が前記FingerQ情報交換プラットホームで登録し、前記FingerQ情報交換プラットホームで登録することを前記通信情報受信端に通知し、
前記通信情報送信端が、前記通信情報受信端の指紋情報が含まれている、前記通信情報受信端の登録情報を取得する
ことを含むことを特徴とする請求項１に記載された通信情報伝送方法。
【請求項３】
前記通信情報受信端に対する身分認証が成功した後、前記通信情報送信端はユーザーが入力した通信情報を取得する前に：
前記通信情報送信端は前記FingerQ情報交換プラットホームより前記通信情報受信端に秘密鍵交換請求及び前記通信情報送信端の秘密鍵情報を送信する；
前記通信情報送信端は前記通信情報受信端が前記FingerQ情報交換プラットホームより送信した確認された秘密鍵交換情報及び前記通信情報受信端の秘密鍵情報を受信する；
それに応じて、前記通信情報送信端は前記通信情報を指FingerQ情報交換プラットホームに送信して、前記FingerQ情報交換プラットホームより前記情報を暗号化させ、暗号化後の通信情報を前記通信情報受信端に送信する；
前記通信情報送信端は前記通信情報を指FingerQ情報交換プラットホームに送信して、前記FingerQ情報交換プラットホームが前記通信情報送信端の秘密鍵情報より前記通信情報を暗号化させ、暗号化後の通信情報を前記通信情報受信端に送信することを更に含むことを特徴とする請求項１に記載された通信情報伝送方法。
【請求項４】
前記FingerQ情報交換プラットホームが前記通信情報を暗号化させ、暗号化後の通信情報を前記通信情報受信端に送信した後：
前記通信情報受信端は暗号化された通信情報を受信且つ解読して、解読後の通信情報を取得且つ表示することを更に含むことを特徴とする請求項１に記載された通信情報伝送方法。
【請求項５】
前記通信情報受信端は暗号化された通信情報を受信且つ解読して、解読後の通信情報を取得且つ表示する前に：
前記通信情報受信端は前記通信情報送信端の指紋情報を取得し、且つ前記通信情報送信端の指紋情報より前記通信情報送信端に対して身分認証を行う；
前記通信情報送信端に対する身分認証が成功した後、前記通信情報受信端は受信及び暗号化後の通信情報を解読するステップを実施することを更に含むことを特徴とする請求項４に記載された通信情報伝送方法。
【請求項６】
通信情報伝送システムであって、
前記システムは、通信情報送信端及び指FingerQ情報交換プラットホームを含み、前記通信情報送信端は、前記指FingerQ情報交換プラットホームと接続し；
その中に、前記通信情報送信端は下記の部分：
選定された通信情報受信端の指紋情報の取得に使い、前記通信情報受信端の指紋情報より前記通信情報受信端に対して身分認証を行う送信端指紋センサー；
前記送信端指紋センサーと接続して、前記送信端指紋センサーが前記通信情報受信端の身分認証が成功してから、ユーザーが輸入した通信情報を取得することに利用される通信情報収集器；その中に、前記通信情報は電子メール又はショート・メッセージSMSである
前記通信情報収集器と接続して、前記通信情報収集器が取得した通信情報を前記FingerQ情報交換プラットホームに送信する通信情報送信器；
を含み、
それに応じて、その中に、前記FingerQ情報交換プラットホームは下記の部分：
前記通信情報送信器と接続して、前記通信情報送信機が送信した通信情報を受信する通信情報受信器；
前記通信情報受信器と接続して、前記通信情報受信器が受信した通信情報を暗号化させ、暗号化後の通信情報を前記通信情報受信端に送信する通信情報プロセッサ
を含むことを特徴とする通信情報伝送システム。
【請求項７】
前記通信情報送信端は下記の部分：
前記送信端指紋センサーと接続して、相応する通信情報受信端を選定し、上記通信情報送信端を前記FingerQ情報交換プラットホームで登録させ、上記通信情報受信端が前記FingerQ情報交換プラットホームで登録することを通知する送信端プロセッサ；
を含み、
それに応じて、前記FingerQ情報交換プラットホームは更に下記の部分：
前記送信端プロセッサと接続して、前記通信情報送信端が前記FingerQ情報交換プラットホームでの登録情報、及び前記通信情報受信端が前記FingerQ情報交換プラットホームでの登録情報を取得する登録情報収集器
を含み、
それに応じて、前記送信指紋センサーは、前記登録情報収集器と接続して、前記登録情報収集器か前記通信情報受信端の登録情報を取得する；その中に、前記通信情報受信端の登録情報に前記通信情報受信端の指紋情報を含む
ことを特徴とする請求項６に記載された通信情報伝送システム。
【請求項８】
前記通信情報送信端は更に下記の部分：
前記送信端指紋センサー及び前記通信情報収集器とそれぞれ接続して、前記送信端指紋センサーが前記通信情報受信端の身分認証が成功した後、前記通信情報収集器がユーザーが輸入した通信情報を取得する前に、秘密鍵交換請求及び前記通信情報送信端の秘密鍵情報を前記FingerQ情報交換プラットホームに送信する秘密鍵情報送信器；
を含み、
それに応じて、前記FingerQ情報交換プラットホームは更に下記の部分：
前記秘密鍵情報送信器と接続して、前記秘密鍵情報送信器が送信した秘密鍵交換請求及び前記通信情報送信端の秘密鍵情報を受信してから、前記秘密鍵情報送信器が送信した秘密鍵交換請求及び前記通信情報送信端の秘密鍵情報を前記通信情報受信端に送信する送信端秘密鍵情報転送器；
前記通信情報送信端と接続して、前記通信情報受信端が送信した秘密鍵交換確認情報及び前記通信情報受信端の秘密鍵情報を受信してから、前記通信情報受信端が送信した秘密鍵交換確認情報及び前記通信情報受信端の秘密鍵情報を前記通信情報送信端に送信する受信端秘密鍵情報転送器；
を含み、
それに応じて、前記通信情報送信端は更に下記の部分：
前記受信端秘密鍵情報転送器と接続して、前記受信端秘密鍵情報転送器から送信した秘密鍵交換確認情報及び前記通信情報受信端の秘密鍵情報を受信する秘密鍵情報受信器；
を含み、
それに応じて、前記通信情報プロセッサは更に下記の部分：
前記送信端秘密鍵情報転送器及び前記通信情報受信器とそれぞれ接続して、前記送信端秘密鍵情報転送器が受信した通信情報送信端の秘密鍵情報を利用して前記通信情報受信器が受信した通信情報を暗号化させ、暗号化後の通信情報を前記通信情報受信端に送信する通信情報子プロセッサ
を含むことを特徴とする請求項６に記載された通信情報伝送システム。
【請求項９】
前記システムは更に前記通信情報受信端を含み、前記通信情報受信端は前記FingerQ情報交換プラットホームと接続する、
その中に、前記通信情報受信端は下記の部分：
前記通信情報プロセッサと接続して、前記通信情報プロセッサが送信した暗号化された通信情報を受信し、暗号化された通信情報を解読して、解読された通信情報を表示する受信端プロセッサ
を含むことを特徴とする請求項６に記載されたシステム。
【請求項１０】
前記通信情報受信端は更に下記の部分：
前記通信情報送信端の指紋情報を獲得して、前記通信情報送信端の指紋情報を利用して前記通信情報送信端に対する身分認証を行う受信端指紋センサー；
前記受信端指紋センサー及び前記受信端プロセッサとそれぞれ接続して、前記受信端指紋センサーが前記通信情報送信端に対する身分認証を成功してから、前記受信端プロセッサに前記通信情報プロセッサから送信された暗号化された通信情報を受信するステップを行うことを通知する通知器
を含むことを特徴とする請求項９に記載された通信情報伝送システム。
【発明の詳細な説明】
【技術分野】
【０００１】
本発明は、通信技術分野に関し、特に通信情報伝送方法及びシステムに関わっている。
【背景技術】
【０００２】
通信技術の発展に伴って、電子メール、ショート・メッセージSMS等の送信受信がますます便利になり、電子メール、ショート・メッセージ等も人々の間に情報交流の重要な手段になる。現在、電子メール、ショート・メッセージの主な伝送方法とは：ユーザーは電子メール送信端に電子メール或いはショート・メッセージの送信端にショート・メッセージを入力して、電子メール送信端はユーザーの送信指令を受領してから電子メールを直接に対応する電子メール受信端に送信し、或いはショート・メッセージ送信端はユーザーの送信指令を受領してからショート・メッセージを直接に対応するショート・メッセージ受信端に送信する。
【発明の概要】
【発明が解決しようとする課題】
【０００３】
ところが、本発明を実現する過程中、発明人は先行技術には少なくとも以下の問題がある：電子メール送信端は電子メールを直接に対応する電子メール受信端に送信し、ショート・メッセージ送信端はショート・メッセージを直接に対応するショート・メッセージ受信端に送信すると、電子メール又はショート・メッセージは如何なる第三者に獲得しやすいし、電子メール又はショート・メッセージのプライバシーが保護されなく、安全性が低い。
【課題を解決するための手段】
【０００４】
先行技術の問題を解決するために、本発明は通信情報伝送方法及びシステムを提供して、本発明の技術案とは、具体的に下記のように参照する。
【０００５】
一方では、本発明は通信情報伝送方法を開示し、前記方法は下記の内容を含む：
通信情報送信端は選定された通信情報受信端の指紋情報を取得し、前記通信情報受信端の情指紋報より前記通信情報受信端に対し身分認証を行う；
前記通信情報受信端に対する身分認証が成功した後、前記通信情報送信端はユーザーが入力した通信情報を取得する；その中に、前記通信情報は電子メール又はショート・メッセージSMSである；
前記通信情報送信端は前記通信情報を指FingerQ情報交換プラットホームに送信し、前記FingerQ情報交換プラットホームが前記通信情報を暗号化させ、暗号化された通信情報を前記通信情報受信端に送信する。
【０００６】
もう一方では、本発明は通信情報伝送システムを開示し、前記システムは通信情報送信端及び指FingerQ情報交換プラットホームを含み、前記通信情報送信端は前記指FingerQ情報交換プラットホームと接続する；
その中に、前記通信情報送信端は下記の部分を含む：
選定された通信情報受信端の指紋情報の取得に使い、前記通信情報受信端の指紋情報より前記通信情報受信端に対して身分認証を行う送信端指紋センサー；
前記送信端指紋センサーと接続して、前記送信端指紋センサーが前記通信情報受信端の身分認証が成功してから、ユーザーが輸入した通信情報を取得することに利用される通信情報収集器；その中に、前記通信情報は電子メール又はショート・メッセージSMSである;
前記通信情報収集器と接続して、前記通信情報収集器が取得した通信情報を前記FingerQ情報交換プラットホームに送信する通信情報送信器；
それに応じて、その中に、前記FingerQ情報交換プラットホームは下記の部分を含む：
前記通信情報送信器と接続して、前記通信情報送信機が送信した通信情報を受信する通信情報受信器；
前記通信情報受信器と接続して、前記通信情報受信器が受信した通信情報を暗号化させ、暗号化後の通信情報を前記通信情報受信端に送信する通信情報プロセッサ。
【発明の効果】
【０００７】
本発明の実施例が提供された技術案は、下記の有益な効果を有する。
【０００８】
通信情報受信端の指紋情報の取得及び利用より通信情報受信端に対する身分認証を行い、通信情報が暗号化されてから通信情報受信端に送信することで、身分認証を受けた通信情報受信端が通信情報を取得できる。従いまして、通信情報は如何なる第三者に簡単に取得できず、且つ取得した通信情報は暗号化されたから、通信情報の秘密性をよく保護され、安全性を向上できる。
【図面の簡単な説明】
【０００９】
本発明実施例の技術案をより一層明確に説明するために、以下実施例に記載された図面について簡単に紹介する。明らかに、下記された図面はただ本発明実施例の一部であり、当業者にとって、創造的な労働をせず、それらの図面から他の図面をもらえる。
【図１】図1は、本発明実施例１が提供した通信情報伝送方法のフロー図である。
【図２】図2は、本発明実施例２が提供した通信情報伝送方法のフロー図である。
【図３】図3は、本発明実施例３が提供した第一種目通信情報伝送システムの構造図である。
【図４】図4は、本発明実施例３が提供した第二種目通信情報伝送システムの構造図である。
【図５】図5は、本発明実施例３が提供した第三種目通信情報伝送システムの構造図である。
【図６】図6は、本発明実施例３が提供した第四種目通信情報伝送システムの構造図である。
【図７】図7は、本発明実施例３が提供した第五種目通信情報伝送システムの構造図である。
【発明を実施するための形態】
【００１０】
本発明の目的、技術案及び優れた点をより一層明確にするために、以下では、図面を参照して本発明の好ましい実施形態について詳しく記述する。
【００１１】
〔実施例１〕
本発明の実施例は通信情報伝送方法を開示され、図1に示すように、前記方法は下記の内容を含む：
101： 通信情報送信端は選定された通信情報受信端の指紋情報を取得し、通信情報受信端の情指紋報より通信情報受信端に対し身分認証を行う；
102：通信情報受信端に対する身分認証が成功した後、通信情報送信端はユーザーが入力した通信情報を取得する；その中に、通信情報は電子メール又はショート・メッセージSMSである；
103：通信情報送信端は前記通信情報を指FingerQ情報交換プラットホームに送信し、FingerQ情報交換プラットホームが通信情報を暗号化させ、暗号化された通信情報を通信情報受信端に送信する。
【００１２】
好ましくは、通信情報送信端が選定された通信情報受信端の指紋情報は下記の内容を含む。
【００１３】
通信情報送信端が選定された対応する通信情報受信端、通信情報送信端がFingerQ情報交換プラットホームで登録し、通信情報受信端にFingerQ情報交換プラットホームで登録することを通知する。
【００１４】
通信情報送信端が取得した前記通信情報受信端の登録情報は、その中に、通信情報受信端の登録情報の中に通信情報受信端の指紋情報を含む。
【００１５】
好ましくは、通信情報受信端に対する身分認証が成功した後、通信情報送信端はユーザーが入力した通信情報を取得する前に下記の内容を含む：
通信情報送信端はFingerQ情報交換プラットホームより通信情報受信端に秘密鍵交換請求及び通信情報送信端の秘密鍵情報を送信する；
通信情報送信端は通信情報受信端がFingerQ情報交換プラットホームより送信した秘密鍵交換確認情報及び通信情報受信端の秘密鍵情報を受信する；
それに応じて、通信情報送信端は通信情報を指FingerQ情報交換プラットホームに送信して、FingerQ情報交換プラットホームより情報を暗号化させ、暗号化後の通信情報を通信情報受信端に送信する；
通信情報送信端は通信情報を指FingerQ情報交換プラットホームに送信して、FingerQ情報交換プラットホームが通信情報送信端の秘密鍵情報より前記通信情報を暗号化させ、暗号化後の通信情報を前記通信情報受信端に送信する。
【００１６】
好ましくは、FingerQ情報交換プラットホームが通信情報を暗号化させ、暗号化後の通信情報を通信情報受信端に送信した後：
通信情報受信端は暗号化された通信情報を受信且つ解読して、解読後の通信情報を取得且つ表示することを更に含む。
【００１７】
好ましくは、通信情報受信端は暗号化された通信情報を受信且つ解読する前に：
通信情報受信端は通信情報送信端の指紋情報を取得し、且つ通信情報送信端の指紋情報より通信情報送信端に対して身分認証を行う；
通信情報送信端に対する身分認証が成功した後、通信情報受信端は受信及び暗号化後の通信情報を解読するステップを実施することを更に含む。
【００１８】
本発明の実施例に記述された通信情報伝送方法は、通信情報受信端の指紋情報の取得及び利用より通信情報受信端に対する身分認証を行い、且つ通信情報が暗号化されてから通信情報受信端に送信することで、身分認証を受けた通信情報受信端が通信情報を取得できる。従いまして、通信情報は如何なる第三者に簡単に取得できず、且つ取得した通信情報は暗号化されたから、通信情報の秘密性をよく保護され、安全性を向上できる。
【００１９】
説明する必要なのは、本発明の実施例に記述された通信情報伝送方法は、コンピューターなどターミナルに応用できるし、携帯電話などモバイルの中にも応用できるので、それに対して限定をしない。
【００２０】
〔実施例２〕
本発明の実施例は通信情報伝送方法を開示され、図2に示すように、前記方法は下記の内容を含む：
201：通信情報送信端が選定された対応する通信情報受信端、通信情報送信端が指FingerQ情報交換プラットホームで登録し、通信情報受信端がFingerQ情報交換プラットホームで登録することを通知する。
【００２１】
具体的には、通信情報送信端は指FingerQ情報交換プラットホームで登録し、通信情報送信端の登録情報を形成して、その中に、通信情報送信端の登録情報は通信情報送信端の指紋情報、通信情報送信端の登録名及び通信情報送信端のアカウント等情報を含む。
【００２２】
具体的には、通信情報送信端に送信端指紋センサーが設けられ、送信端指紋センサーより通信情報送信端と対応するユーザーの指紋情報を採集し、通信情報送信端の指紋情報を取得する。且つ、通信情報送信端にメモリーが設けられ、通信情報送信端ユーザーの指紋情報を通信情報送信端のメモリーに保存する。
【００２３】
具体的には、通信情報受信端は指FingerQ情報交換プラットホームで登録し、通信情報受信端の登録情報を形成して、その中に、通信情報受信端の登録情報は通信情報受信端の指紋情報、通信情報受信端の登録名及び通信情報受信端のアカウント等情報を含む。
【００２４】
具体的には、通信情報受信端に送信端指紋センサーが設けられ、受信端指紋センサーより通信情報受信端と対応するユーザーの指紋情報を採集し、通信情報受信端の指紋情報を取得する。且つ、通信情報受信端にメモリーが設けられ、通信情報受信端ユーザーの指紋情報を通信情報受信端のメモリーに保存する。
【００２５】
202：通信情報送信端は通信情報受信端の登録情報を取得し、その中に、通信情報受信端の登録情報に通信情報受信端の指紋情報を含む。
【００２６】
具体的には、通信情報送信端はFingerQ情報交換プラットホームにアクセスして、FingerQ情報交換プラットホームから通信情報受信端の登録情報を取得する。
【００２７】
また、通信情報送信端にメモリーが設けられ、通信情報受信端ユーザーの登録情報を通信情報受信端のメモリーに保存する。
【００２８】
203：通信情報送信端は通信情報受信端の情指紋報より通信情報受信端に対して身分認証を行い、通信情報受信端の身分認証が成功したか否かについて判断して、成功する場合、204を実施する；でなければ、終了する。
【００２９】
204：通信情報送信端はFingerQ情報交換プラットホームを通じて通信情報受信端に秘密鍵交換請求及び通信情報送信端の秘密鍵情報を送信する。
【００３０】
具体的には、通信情報送信端は秘密鍵交換請求及び通信情報送信端の秘密鍵情報をFingerQ情報交換プラットホームに送信する。FingerQ情報交換プラットホームは通信情報送信端が送信された秘密鍵交換請求及び通信情報送信端の秘密鍵情報を通信情報受信端に送信する。
【００３１】
205：通信情報受信端は秘密鍵交換請求及び通信情報送信端の秘密鍵情報を受信して、且つ通信情報送信端と秘密鍵を交換するか否かを確認する。交換すると確認する場合、206を実施する；でなければ、終了する。
【００３２】
具体的には、通信情報受信端は通信情報送信端の秘密鍵情報を通信情報受信端のメモリーに保存できる。
【００３３】
206：通信情報受信端はFingerQ情報交換プラットホームを通じて、通信情報送信端に秘密鍵交換確認情報及び通信情報受信端の秘密鍵情報を送信する。
【００３４】
具体的には、通信情報受信端は秘密鍵交換確認情報及び通信情報受信端の秘密鍵情報をFingerQ情報交換プラットホームに送信する。FingerQ情報交換プラットホームは通信情報受信端が送信された秘密鍵交換確認情報及び通信情報受信端の秘密鍵情報を通信情報送信端に送信する。
【００３５】
207：通信情報送信端は通信情報受信端がFingerQ情報交換プラットホームを通じて送信された秘密鍵交換確認情報及び通信情報受信端の秘密鍵情報を受信する。
【００３６】
208：通信情報送信端はユーザーが入力した通信情報を取得する；その中に、通信情報は電子メール又はショート・メッセージSMSである；
具体的には、通信情報送信端は通信情報受信端がFingerQ情報交換プラットホームより送信された秘密鍵交換確認情報及び通信情報受信端の秘密鍵情報を受信してから、ユーザーに通信情報を入力することを通信する。
【００３７】
209：通信情報送信端は通信情報をFingerQ情報交換プラットホームに送信する。
【００３８】
210：FingerQ情報交換プラットホームは通信情報送信端の秘密鍵情報より通信情報を暗号化させ、暗号化後の通信情報を通信情報受信端に通信する。
【００３９】
211：通信情報受信端は通信情報送信端の指紋情報を取得して、且つ通信情報送信端の指紋情報より通信情報送信端に対して身分認証を行い、通信情報送信端の身分認証が成功したか否かについて判断して、成功する場合、212を実施する；でなければ、終了する。
【００４０】
具体的には、通信情報受信端はFingerQ情報交換プラットホームにアクセスして、FingerQ情報交換プラットホームから通信情報送信端の登録情報を取得して、通信情報送信端の登録情報から通信情報送信端の指紋情報を取得する。
【００４１】
212：通信情報受信端は暗号化された通信情報を受信且つ解読して、解読後の通信情報を取得且つ表示してから終了する。
【００４２】
本発明の実施例に記述された通信情報伝送方法は、通信情報受信端の指紋情報の取得及び利用より通信情報受信端に対する身分認証を行い、通信情報が暗号化されてから通信情報受信端に送信することで、身分認証を受けた通信情報受信端のみが通信情報を取得できる。従いまして、通信情報は如何なる第三者に簡単に取得できず、且つ取得した通信情報は暗号化されたから、通信情報の秘密性をよく保護され、安全性を向上できる。
【００４３】
〔実施例３〕
本発明の実施例は通信情報伝送システムを開示され、図3に示すように、システムは通信情報送信端30及び指FingerQ情報交換プラットホーム40を含め、通信情報送信端30は指FingerQ情報交換プラットホーム40と接続する；
その中に、通信情報送信端30は下記の部分を含む：
送信端指紋センサー301、選定された通信情報受信端50の指紋情報の取得に使い、通信情報受信端50の指紋情報より通信情報受信端50に対して身分認証を行う；
通信情報収集器302、送信端指紋センサー301と接続して、送信端指紋センサー301が通信情報受信端50の身分認証が成功してから、ユーザーは輸入した通信情報を取得することに利用される。その中に、通信情報は電子メール又はショート・メッセージSMSである；
通信情報送信器303、通信情報収集器302と接続して、通信情報収集器302が取得した通信情報をFingerQ情報交換プラットホーム40に送信する；
それに応じて、その中に、FingerQ情報交換プラットホーム40は下記の部分を含む：
通信情報受信器401、通信情報送信器303と接続して、通信情報送信器303が送信した通信情報を受信する；
通信情報プロセッサ402、通信情報受信器401と接続して、通信情報受信器401が受信した通信情報を暗号化させ、暗号化後の通信情報を通信情報受信端50に送信する。
【００４４】
好ましくは、図4に示すように、通信情報送信端30は更に下記の部分を含む：
送信端プロセッサ304、送信端指紋センサー301と接続して、相応する通信情報受信端を選定し、通信情報送信端30をFingerQ情報交換プラットホーム40で登録させ、通信情報受信端50がFingerQ情報交換プラットホーム40で登録することを通知する；
それに応じて、FingerQ情報交換プラットホーム40は更に下記の部分を含む：
登録情報収集器403、送信端プロセッサ304と接続して、通信情報送信端30がFingerQ情報交換プラットホーム40での登録情報、及び通信情報受信端50がFingerQ情報交換プラットホーム40での登録情報を取得する。
【００４５】
それに応じて、送信指紋センサー301、登録情報収集器403と接続して、具体的に登録情報収集器403から通信情報受信端50の登録情報を取得する；その中に、通信情報受信端50の登録情報に通信情報受信端50の指紋情報を含む。
【００４６】
好ましくは、図5に示すように、通信情報送信端30は更に下記の部分を含む：
秘密鍵情報送信器305、送信端指紋センサー301及び通信情報収集器302とそれぞれ接続して、送信端指紋センサー301が通信情報受信端50の身分認証が成功した後、通信情報収集器302がユーザーが輸入した通信情報を取得する前に、秘密鍵交換請求及び通信情報送信端30の秘密鍵情報をFingerQ情報交換プラットホーム40に送信する；
それに応じて、FingerQ情報交換プラットホーム40は更に下記の部分を含む：
送信端秘密鍵情報転送器404、秘密鍵情報送信器305と接続して、秘密鍵情報送信器305が送信した秘密鍵交換請求及び通信情報送信端30の秘密鍵情報を受信してから、秘密鍵情報送信器305が送信した秘密鍵交換請求及び通信情報送信端30の秘密鍵情報を通信情報受信端50に送信する；
受信端秘密鍵情報転送器405、通信情報送信端30と接続して、通信情報受信端50が送信した秘密鍵交換確認情報及び通信情報受信端50の秘密鍵情報を受信してから、通信情報受信端50が送信した秘密鍵交換確認情報及び通信情報受信端50の秘密鍵情報を通信情報送信端30に送信する；
それに応じて、通信情報送信端30は更に下記の部分を含む：
秘密鍵情報受信器306、受信端秘密鍵情報転送器405と接続して、前記受信端秘密鍵情報転送器405から送信した秘密鍵交換確認情報及び通信情報受信端50の秘密鍵情報を受信する；
それに応じて、通信情報プロセッサ402は更に下記の部分を含む：
通信情報子プロセッサ4021、送信端秘密鍵情報転送器404及び通信情報受信器401とそれぞれ接続して、送信端秘密鍵情報転送器404が受信した通信情報送信端30の秘密鍵情報を利用して通信情報受信器401が受信した通信情報を暗号化させ、暗号化後の通信情報を通信情報受信端50に送信する。
【００４７】
好ましくは、図6に示すように、当該システムは更に通信情報受信端50を含め、通信情報受信端50はFingerQ情報交換プラットホーム40と接続する；
その中に、通信情報受信端50は下記の部分を含む：
受信端プロセッサ501、通信情報プロセッサ402と接続して、通信情報プロセッサ402が送信した暗号化された通信情報を受信し、暗号化された通信情報を解読して、解読された通信情報を表示する。
【００４８】
好ましくは、図7に示すように、通信情報受信端50は更に下記の部分を含む：
受信端指紋センサー502、通信情報送信端30の指紋情報を獲得して、通信情報送信端30の指紋情報を利用して通信情報送信端30に対する身分認証を行う；
通知器503、受信端指紋センサー502及び受信端プロセッサ501とそれぞれ接続して、受信端指紋センサー502が通信情報送信端30に対する身分認証を成功してから、受信端プロセッサ501に通信情報プロセッサ402から送信された暗号化された通信情報を受信するステップを行うことを通知する。
【００４９】
説明する必要なのは、通信情報送信端30及び通信情報受信端50の中にメモリーも設けられ、各自の指紋情報及び秘密鍵情報を保存して、また互いの指紋情報及び秘密鍵情報を保存する。
【００５０】
説明する必要なのは、本発明実施例の各設備の間に接続する時、有線方式、無線方式又は他の方式にて接続して、それに対して具体的に限定せず、実際の応用状況により設置することができる。
【００５１】
本発明の実施例に記述された通信情報伝送システムは、通信情報受信端の指紋情報の取得及び利用で通信情報受信端に対する身分認証を行い、且つ通信情報が暗号化されてから通信情報受信端に送信することで、身分認証を受けた通信情報受信端のみが通信情報を取得できる。従いまして、通信情報は如何なる第三者に簡単に取得できず、且つ取得した通信情報は暗号化されたから、通信情報の秘密性をよく保護され、安全性を向上できる。
【００５２】
上記された本発明の実施例の番号は記述するためだけ、実施例の優劣を代表しない。
【００５３】
当業者として下記のことを良く理解できる。上記された実施例の全部又は部分のステップはハードウェアより、或いはプログラムより関連ハードウェアを指令することで完成できる。前記プログラムはコンピューターの可読記憶媒体の中に保存できる。前記記憶媒体はROM、磁気ディスク或いは光ディスク等である。
【００５４】
上記されたのは本発明のよりいい実施例だが、本発明を限定されない。本発明の主旨及び原則の中に、如何なる訂正、同等取替え、改善等、全部本発明の保護範囲に含まれる。
【図１】
2015535154.tif 000003
【図２】
2015535154.tif 000004
【図３】
2015535154.tif 000005
【図４】
2015535154.tif 000006
【図５】
2015535154.tif 000007
【図６】
2015535154.tif 000008
【図７】
2015535154.tif 000009
【手続補正書】
【提出日】平成27年9月4日(2015.9.4)
【手続補正１】
【補正対象書類名】図面
【補正対象項目名】全図
【補正方法】変更
【補正の内容】
【図１】
2015535154.tif 000010
【図２】
2015535154.tif 000011
【図３】
2015535154.tif 000012
【図４】
2015535154.tif 000013
【図５】
2015535154.tif 000014
【図６】
2015535154.tif 000015
【図７】
2015535154.tif 000016
【手続補正書】
【提出日】平成27年9月7日(2015.9.7)
【手続補正１】
【補正対象書類名】図面
【補正対象項目名】全図
【補正方法】変更
【補正の内容】
【図１】
2015535154.tif 000017
【図２】
2015535154.tif 000018
【図３】
2015535154.tif 000019
【図４】
2015535154.tif 000020
【図５】
2015535154.tif 000021
【図６】
2015535154.tif 000022
【図７】
2015535154.tif 000023
【国際調査報告】
2015535154.tif 000024
2015535154.tif 000025
2015535154.tif 000026
2015535154.tif 000027